Podtech/llm-jp-corpus-v4-ja_patent huggingface dataset:
(57)【要約】【課題】従来からある下半身を包み込むオムツは脱げ易く、包み込まれている中で排便するため、お尻が汚れ不衛生であった。また、尿だけをしていた場合も、便だけをしていた場合も、オムツ全体を取り替える必要があり、介護で継続的に使用する場合コストが高くつくため、服にウンチが入る袋を付けたことを特徴とする、犬用うんちキャッチポケット付きウエアを提供する。【解決手段】服にウンチが入る袋を付けた。袋の中に入れる吸水性・防水性のある使い捨ての取替え袋を付けた。【選択図】図１
2013070690.tif 000002
【特許請求の範囲】
【請求項１】
犬用の服の後足股下の外側にポケットを設け、排便時、便が自然にポケットの中に入るようにしたことを特徴とする、犬用うんちキャッチポケット付ウエア
【請求項２】
便が入るポケットの中に、吸水性・防水性のある使い捨ての取り替え袋を設けたことを特徴とする請求項目１の犬用うんちキャッチポケット付きウエア。
【発明の詳細な説明】
【技術の分野】
【０００１】  本発明は、排泄のコントロールができなくなった犬の介護時やお出かけの時、排泄・排便をさせてはいけない場所で着用させる犬用の服である。
【背景技術】
【０００２】  従来、排泄のコントロールができなくなった犬の介護時や排泄のしつけができていない犬を留守番させる時などには使用するオムツは、大半が下半身全体を包み込むタイプのもので、便も尿も一緒に犬の体に密着し不衛生であった。
ある程度しつけができていて、トイレで排泄をすることができる犬でも、長時間の留守番では自分の排泄物を踏んで、体や部屋を汚してしまうことが多々あった。
お出かけの際にも、トイレのしつけができていないと、ペット同伴ＯＫの場所でも入店や宿泊ができなかった。
【先行技術文献】
【０００３】
【特許文献１】特許公開２００５−１５１９６３
【発明の概要】
【発明が解決しようとする課題】
【０００４】  そのために次のような問題点があった。
（イ）下半身だけを包み込むオムツは脱げ易い。
（ロ）包み込まれている中で排便するため、お尻が汚れ不衛生。
（ハ）尿だけをしていた場合も、便だけをしていた場合も、オムツ全体を取り替える必要があり、介護で継続的に使用する場合コストが高い。
（ニ）袋部分だけをおむつに両面テープなどで後付けすると取れやすく、おむつの形状と合わない場合もある。
（ホ）健康な犬の場合、エチケットとはいえ、おむつをつけて外出は飼い主の気持ちとして躊躇われる。
【課題を解決するための手段】
【０００５】犬用の服の後足股下の外側にポケットを設け、排便時、便が自然にポケットの中に入るようにしたことを特徴とする、犬用うんちキャッチポケット付ウエア。
便が入るポケットの中に、吸水性・防水性のある使い捨ての取替え袋を設けたことを特徴とする請求項目１の犬用うんちキャッチポケット付きウエア。
犬用の服の股下部分に排泄したウンチが直接入る袋を付け服と一体化させた。
服のデザインは腹から後ろ足までを覆うかたちであればいいので、様々なデザインが考えられ、エチケットウエアとして健康な犬が外出時にも着用できる。
袋の中に吸水性のある使い捨ての取替え袋を付けることによって、便が緩い状態の時にも漏れを防ぐことができる。
以上を特徴とする犬用うんちキャッチポケット付ウエアである。
【発明の効果】
【０００６】  オムツカバーとして使用することが可能で、便はうんちキャッチポケットに入るので直接体に触れることがなく衛生的。
また、尿は尿取りパット、便は使い捨て取り替え袋、と汚れた方だけを別々に処理できるので経済的。
留守番の時に犬が自分の便を踏んでしまい汚れたり、部屋の中を汚したりするこがなくなる。
レストランや宿泊施設などにも、排泄のしつけの心配をせずに安心してつれていける。
【図面の簡単な説明】
【０００７】
【図１】本発明のウエア裏面の全体図
【図２】本発明のウエア着用時、ゴムを装着していない状態の袋部分の図
【図３】本発明の着用時の斜視図
【図４】本発明の使い捨て取替え袋の構造図
【発明を実施するための形態】
【０００８】以下、本発明の実施の形態を説明する。
（イ）犬用の服の後足股下の外側（肛門の下）にうんちキャッチポケット（１）が縫い付けてある。
（ロ）うんちキャッチポケットの中には図４の使い捨て取り替え袋をセットしておく。
（ハ）うんちキャッチポケットの口にはゴムを通してあり、中央部分からゴム（２）を出し犬のしっぽに引っ掛ける。
（ニ）図２のように、うんちキャッチポケットは後足股下に縫い付けるがうんちキャッチポケットの両脇（３）が、犬が着用したときに犬の肛門の位置と同じくらいの高さになるようにする。
（ホ）図４使い捨ての取り替え袋はペットシート素材を袋状にしたもので、袋の外側（４）は防水素材、袋の内側（５）は吸水素材とする。
（ヘ）外側防水素材面の口の部分に両面テープ（６）を付けておき、服の袋の内側に入れ固定する。
（ト）排便時は、犬が尾を上げるので図３のように、うんちキャッチポケットの口が広がる。
（チ）図１のようにうんちキャッチポケットの口にはゴムを通してあるため、中央のしっぽに引っ掛けたゴムに引っ張られポケットの口全体にギャザーがより、肛門の周りにフィットする。
【符号の説明】
【０００９】１  うんちキャッチポケット
２  ゴム
３  縫い止まり位置
４  使い捨て取り替え袋の外側防水面
５  使い捨て取り替え袋の内側吸水面
６  両面テープ
【図１】
2013070690.tif 000003
【図２】
2013070690.tif 000004
【図３】
2013070690.tif 000005
【図４】
2013070690.tif 000006
(57)【要約】【課題】本発明は凝集液を分離する濾過装置は、円錐台形分離ドラム１２の円錐台形フイルター１３部に網又はパンチングメタルを張ると穴の明いた所から水は下に落ち、フロックの種類に合わせた勾配にした円錐台形なのでフロックは速やかに排出をすることができる凝集液の濾過装置を得ることにある。【解決手段】  凝集液を、濾過装置１０の円錐台形分離ドラム１２の回転中に、配管１６で奥に投入され凝集液は円錐台形フイルター１３部に網又はパンチングメタルを張り付けているので、凝集液は分離して内部の水は円錐台形フイルター１３の穴の明いた所から下に落ち、円錐台形なのでフロックは手前に排出される、フロックの種類に合わせた勾配にした円錐台形フイルター１３とで凝集液の濾過装置を構成している。  【選択図】      図２
2013173097.tif 000002
【特許請求の範囲】
【請求項１】
凝集液を濾過し分離する濾過装置１０において、前記濾過装置１０は、円錐台形分離ドラム１２と、円錐台形フイルター１３と、を円錐台形状に構成した事を特徴とする凝集液の濾過装置。
【発明の詳細な説明】
【技術分野】
【０００１】
本発明は、廃棄食品、有害物を含む化学物質等を回収し、凝集剤と水を回収処理物に混合して凝集液にし、その凝集液を濾過装置の円錐台形分離ドラムに供給して回転させ、フロックと水に分離するための凝集液の濾過装置に関する。  
【背景技術】
【０００２】
従来の凝集液の濾過装置は、図３に示す如く、予め電動式ボールバルブ（１９）より攪拌タンク（２０）に供給された回収処理液体と、凝集剤ユニット（３）から必要量を供給された凝集剤とが、攪拌タンク（２０）に設けられた攪拌機（２１）で攪拌され凝集液となる。
凝集液は攪拌タンク（２０）から配管（１６）により、円筒濾過装置（２３）内で回転中の円筒状の円筒形分離ドラム（２４）の奥の方に投入され、円筒形分離ドラム（２４）内部の水は円筒形フイルター（２５）の穴のあいた所から落下し、フロックは円筒形分離ドラム（２４）部の手前から外部に排出され落下するように構成されている。
【先行技術文献】
【特許文献】
【０００３】
【特許文献１】特開平０９−２７６７４１号公報
【発明の概要】
【発明が解決しようとする課題】
【０００４】
フロックは軟らかい為にどうしても奥に堆積しやすい。
フロックを手前に順序よく排出することが困難な時には、補助的に外部から円筒形分離ドラム（２４）の内側からかき出し棒等により引っ張りだす等の処置をして、円筒形分離ドラム（２４）の回転と共に手前に排出し、受けガイド（１４）からフロックバケット（１５）に落下させる。
そして水は放出ポンプ（１７）から放出口（１８）に排出するように構成されている。
【課題を解決するための手段】
【０００５】
本発明は、凝集液を濾過し分離する濾過装置１０において、前記濾過装置１０は、円錐台形分離ドラム１２と、円錐台形フイルター１３と、を円錐台形状に構成した事を特徴とする。
【発明の効果】
【０００６】
以上の説明から明らかなように、本発明にあっては次に列拳する効果が得られる。
【０００７】
濾過装置（１０）は、円錐台形分離ドラム（１２）と円錐台形フイルター（１３）とで構成されるとともに、フロックの滑りに合わせた勾配を持たせて構成したので、速やかな排出ができる。  
したがって、円筒形分離ドラム（２４）のように、内側にかき出し棒等を入れて引っ張りだす等の作業を必要とせず、安全かつ人の有効活用ができる。
【図面の簡単な説明】
【０００８】
【図１】本発明を実施するための最良の第１の形態の凝集剤供給攪拌と濾過装置の構成を示す断面図と側面図である。
【図２】本発明を実施するための最良の第１の形態の濾過装置の拡大図である。
【図３】従来の凝集剤攪拌と円筒濾過装置の構成を示す断面図と側面図である。
【発明を実施するための形態】
【０００９】
以下、本発明の実施の形態を図面に基づいて説明する。
【実施例１】
【００１０】
図１は本発明装置の実施例１の断面図であって、原水タンク又はプール（図示なし）から送られて来る回収処理液体は、電動式ボールバルブＡ（１）及び電動式ボールバルブＢ（２）から、攪拌タンクＡ（４）及び攪拌タンクＢ（５）の一方に切り替え供給され、凝集剤は凝集剤ユニット（３）より凝集剤を必要とする方の攪拌タンクに供給して攪拌することにより凝集液になる。
凝集液は電動式ボールバルブＣ（８）又は電動式ボールバルブＤ（９）の一方を開くことにより、図２に記載の濾過装置（１０）の分離ドラムモーター（１１）で回されている円錐台形分離ドラム（１２）奥側に配管で投入される。
凝集液は、円錐台形分離ドラム（１２）内に設けられた、網又はパンチングメタルが張られた円錐台形フイルター（１３）部内を通過しながら、水は穴の明いた所から落下し、フロックは手前に排出される。
円錐台形分離ドラム（１２）および円錐台形フイルター（１３）部を、フロックの種類に合わせた勾配を持たせた円錐台形とすることにより速やかに排出ができるものである。
【産業上の利用可能性】
【００１１】
本発明は、凝集液の濾過装置を製造する産業で利用される。
【符号の説明】
【００１２】
1     電動式ボールバルブＡ
2     電動式ボールバルブＢ
3     凝集剤ユニット
4     攪拌タンクＡ
5     攪拌タンクＢ
6     攪拌機Ａ
7     攪拌機Ｂ
8     電動式ボールバルブＣ
9     電動式ボールバルブＤ
10    濾過装置
11    分離ドラムモーター
・  円錐台形分離ドラム
・  円錐台形フイルター
14    受けガイド
15    フロックバケット
16    配管
17    放出ポンプ
18    放出口
19    電動式ボールバルブ
20    攪拌タンク
21    攪拌機
22    電動式ボールバルブＥ
23    円筒濾過装置
24    円筒形分離ドラム
・   円筒形フイルター
【図１】
2013173097.tif 000003
【図２】
2013173097.tif 000004
【図３】
2013173097.tif 000005
(57)【要約】【課題】  新聞を読む際、めくっていると新聞紙は纏まらず自然と乱れてバラバラとなる。クリップで留めても開き辛く、紙面の字がクリップに挟まって見えない字が発生する。その為、新聞を固定して読紙出来るよう新聞見開きストッパーを提供する。【解決手段】  新聞紙中央上部より、中央空白部分にヘアピン状を大きくしたようなストッパーを差し込んで紙面がバラバラにならないよう固定させる事を特徴とする。【選択図】図１
2013173370.tif 000002
【特許請求の範囲】
【請求項１】
ピン状の挟む形態のものを、新聞紙の中央上部から真ん中ページに沿って挟み込み新聞紙がバラつかないよう固定して使用する。新聞見開きストッパーである。
【発明の詳細な説明】
【技術分野】
【０００１】  この発明は、新聞を開いて読む際に新聞の中央に留めて新聞がバラつかないように固定させる新聞見開き用ストッパーである。
【背景技術】
【０００２】  従来クリップのような物を使用する場合は有る。クリップの場合、新聞が開き難い上クリップで閉じた部分の字が見えなくなる場合が有る。
【先行技術文献】
【特許文献】
【０００３】
【特許文献１】
【発明の概要】
【発明が解決しようとする課題】
【０００４】  新聞は見開いて行く際バラバラとなって綺麗に纏まらない。
また、二つに折った状態の新聞にクリップで留めて見開いた場合、留めた部分は閉じており文字が読み取ることができない場合がある。
本発明は、以上のような不便を無くすためになされたものである。
【課題を解決するための手段】
【０００５】  簡単に言うと、ヘアピン止を太めにした様な型である。ピンの軸を新聞紙面中央の縦空白部に沿って紙面の上部から中央ページに挟んで半ば近くまで差し込んで使用する。
本発明は、以上の構成によりなる新聞見開きストッパーである。
【発明の効果】
【０００６】  新聞見開きストッパーの作品は、新聞の１ページ目と中心ページに新聞上部中央より差し込んで使用する。新聞を見開きする時、一冊の本のように纏まっており、軸は新聞半ば程までのため、四つ折りにしても綺麗に納まる。
尚、クリップでは見えなくなる文字も、この新聞見開きストッパーの場合、綺麗に楽に開ける上、見えない文字は無いのである。
【図面の簡単な説明】
【０００７】
【図１】  本発明の側面図である。
【図２】  本発明の正面図である。
【図３】  本発明の底面図である。
【発明を実施すための形態】
【０００８】  以下、本発明を実施するための形態について説明する。
この新聞見開きストッパーは、ヘアピン状の形態を大きくしたような型で、新聞紙の真ん中のページと一面ページの中心上部より差し込んで使用する。使用する材質は金属その他、新聞紙がきちんと纏まり留まるものを使用する。
【符号の説明】
【０００９】  １  新聞を挟む為のピンの重なった発端である。
【図１】
2013173370.tif 000003
【図２】
2013173370.tif 000004
【図３】
2013173370.tif 000005
(57)【要約】【課題】本発明は予定や計画などを忘れないように、直接本人が身につけメモができる装飾品です。【解決手段】メモをするものは鉛筆を使用、消すものは鉛筆用消しゴムである。加工した粘土を高熱で焼き上げた装飾品である。粘土にてキーホルダー、ブローチ、ネックレス、数珠およびブレスレット、などの本体を作り、メモ面として利用するものである。そのため粘土加工のとき直接肌や衣類にふれないように、メモするところを掘り込むようにし、メモ面の広いところは左右を掘り込めば仕切り枠になる。直接接触しないようにすればメモが消えなくなり、何回も書いたり消したりができる。しかも鉛筆の芯は水にも強く大変便利である。【選択図】図１
2013173337.tif 000002
【特許請求の範囲】
【請求項１】
装飾品を粘土で作り、直接肌や衣類などがふれないように掘り込みを入れメモ面が広いところは左右を掘り込み仕切り枠にする。そのものを高熱で焼きあげ掘り込みのところをメモ面として利用する粘土装飾品である。
【発明の詳細な説明】
【技術分野】
【０００１】  本発明は予定や計画などを忘れないように、直接本人が身につけて、メモ記入ができる装飾品である。
【背景技術】
【０００２】  肌身につけたり持ち歩くようにすれば、いつでも気がつき、メモの内容を忘れたりすることが少なくなる。
【先行技術文献】
【特許文献】
【０００３】
【特許文献１】
【非特許文献１】
【発明の概要】
【発明が解決しようとする課題】
【０００４】  たえず肌身につけるため、忘れたり、落としたり、を気にせずに、メモを意識することができ、何回も消したり記入したりできるため、大変便利である。
【課題を解決するための手段】
【０００５】  メモをする物は鉛筆のみを使用、消すものは鉛筆用消しゴム、加工した粘土を高熱で焼き上げた粘土加工品です。
粘土にてキーホルダー、ブローチ、ネックレス、数珠およびブレスレット、などの本体を作り、そのため粘土加工のとき直接肌や衣類にふれないようにメモするところを掘り込むようにし、メモ面の広いところは左右を掘り込めば仕切り枠になる。直接接触しないようにすれば消えなくなり何回も書いたり消したりができ、そのうえ鉛筆の芯は水にも強く便利である。
【発明の効果】
【０００６】本装飾品を必要に応じて肌身につけ、携帯しておれば簡単にメモに気が付き便利である。
【図面の簡単な説明】
【０００７】
【図１】  本発明の板型の物の斜視図。
【図２】  本発明の丸型の物の斜視図。
【図３】  本発明の［図１］の広い面積がある場合の斜視図。
【発明を実施するための形態】
【０００８】以下、本発明の実施の形態について説明する。
［図１］は本発明の板型の物（１）としてキーホルダー、ブローチ、などの本体である。（２）の金具は本体をつなぐホルダーにとりつける。（３）は肌や衣類にふれないように掘りこんだ側面とメモをする場所である。［図３］の（７）はメモ面積の広い物は左右を掘り込み仕切り枠（８）を設けて肌や衣類に接触しない様にしたものである。
［図２］は丸型の物（４）として数珠およびブレスレットなどの本体である。１つ１つつなぐ為の糸ゴムなどを通す穴（５）である。丸型の物（４）につけるメモ面（６）は小さくなりますが、全体に使用するか、一部でよいかは全体のデザインなとで判断して決めればよい。
【符号の説明】
【０００９】１  板型
２  金具
３  メモ面
４  丸型
５  穴
６  メモ面
７  広いメモ面
８  仕切り板
【図１】
2013173337.tif 000003
【図２】
2013173337.tif 000004
【図３】
2013173337.tif 000005
(57)【要約】【課題】従来の独居家庭等に於ける非常時の救援依頼装置は電話回線の利用で警備保障会社等への依頼で有料で高額、または、災害時には電話不通で利用出来ない、その他、日常の困りごとの依頼は誰にどの様に支援をお願いするか、具体的な連絡体制が不明確であった為に、最悪の場合孤独死で発見が遅れる場合が多々あった。【解決手段】住宅の玄関先で近隣の住民の目に付きやすい場所に住人の安否を表示する掲示板を設置して、安否を確認したい近隣住民が自由に掲示板の確認ボタンを押して住人の安否状態を知る事ができるシステムで、どこよりも早く不幸な孤独死等を未然防止することが出来る。【選択図】図１
2013196676.tif 000002
【特許請求の範囲】
【請求項１】
太陽光を利用した蓄電池を内蔵した電子表示式の屋外掲示板と、屋内の操作盤により外部の住人に安否情報を伝達するシステム。
【発明の詳細な説明】
【技術分野】
【０００１】    本発明は一般家庭内生活における非常事態等を外部に知らせ最悪の事態を未然に防止するための掲示板に関する。
る。
【背景技術】
【０００２】従来独居家庭等において困り事、心配事、緊急事態発生時における援助を要請する手段には主に電話連絡にて警備保障会社等に通報するシステムが有る、【０００３】その他、家庭内に設置した専用のインターホーンにて警備保障会社に緊急事態の通報が出来るシステムがある。【０００４】上記［０００２］及び［０００３］共電話回線利用のため災害時等による停電時には利用不可である。
【発明の開示】
【発明が解決しようとする課題】
【０００５】以上に述べた従来の警報装置はあくまで人命に関する緊急警報装置であるため有料で高額で、日常生活における困りごと、すなわち、生活困窮にて電気、水道、ガス、等が停止された時、または、病院に行きたいが車が無くていけない、買い物に行きたいがお手伝いしてほしい、等を誰かに  伝えたい、お願いしたい手段がない。【０００６】各市町村には地域の福祉協議会及び民生委員等が活動してはいますが、日常の生活に於ける困り事にはわざわざ電話等にては頼みずらいのが実情である。【０００７】また、民生委員等の立場からしますと、個人宅を毎日訪問することは困難でまた、プライバシーの問題もあり積極的には介入出来ないのが実情である。【０００８】以上［０００６］および［０００７］で述べたように支援する側と支援される側の思惑が不一致であるために円滑な支援体制が欠如していた。【０００９】本発明は以上の様な問題を解決しようとするもので支援を求めたい人が即近隣住民に伝達することができる掲示板であり、又は逆に近隣住民が容易に支援の要否を確認できることを目的とした掲示板である。
【問題を解決するための手段】
【００１０】本発明は上記目的を達成するために屋外に安否情報を表示する掲示板を設置し、屋内には安否情報を連絡する操作盤で構成したものである
【００１１】  屋外用の掲示板には停電時にも利用出来るように太陽光発電装置と充電式の蓄電池を内臓しており夜間時にも点灯表示できる掲示板である。
【００１２】また、屋内用の操作盤には非常事態等に支援を求める為に押すボタンと近隣住民が安否確認の為に押したボタンに回答する為の押しボタンが取り付いている。
【００１３】具体的に屋外の掲示板について説明すると、支援を求める住人が近隣住民に支援を求めるボタンを屋内から押すと屋外の掲示板に赤色ランプが点滅点灯して周りの住民に知らせることが出来る、この点灯ランプは支援が終わるまで点灯を継続するものである。
【００１４】また、屋内の住人は支援が必要ない場合は特にボタンを押す必要はない。
【００１５】逆に、近隣住民が屋内の住人の安否を確認したい場合は、掲示板にある「確認ボタン」を押すと屋内住人に支援を求める必要がなければ屋内住人は異常なしのボタンを室内から押すと掲示板には緑色のランプが表示される。
【００１６】上記の例で屋内住人と近隣住民の支援者は特に会話することなくお互いに掲示板上で無言の連絡が出来る。
【００１７】また、近隣住民の支援者が安否確認ボタンを押しても無応答の場合は屋内に立ち入るか、関係省庁に連絡をとり安否確認を依頼する。
【発明の効果】
【００１８】上述したように本発明の掲示板は近隣住民が気楽にお互い同士の安否を確認するための掲示板であり不幸な事件を未然に防止出来、または、助け合いが出来るネットワーク作りの道具である。
【００１９】市町村に於ける福祉担当職員及び民生委員等の巡回を待たず住民同士で日常生活上でタイムリーに安否確認が出来る。
【００２０】本装置は太陽光発電を利用している為に、生活困窮者が電気を止められて外部への電話が不通の場合にも近隣住民との連絡が出来る。
【発明の実施する為の最良の形態】
【００２１】以下、本発明の実施形態を図１〜図５に基ずいて説明する。
【００２２】図１の屋外用掲示板において、１は太陽光パネルを示す、２は掲示板ボツクスを示し、中には蓄電池、充電器、及び制御用配線回路等が内臓されている。
また表面には、３赤色ランプと、４緑色ランプ、５支援の要請を表示する表示部、６異常なしを表示する表示部、その他７確認用のボタンから構成されている。
【００２３】図３の屋内用操作盤において、８は操作盤ボツクスを示し、９確認ランプ  １０赤色ランプ、１１緑色ランプ、１２支援要請押しボタン、１３異常なし押しボタンから構成されている。
【００２４】図５の屋内外の概念図において、屋外の玄関の近くに屋外用掲示板が取り付けてあり、屋内には屋内操作盤が取り付けてあり、双方は１４配線ケーブルで連結されている。
【００２５】図５において、屋外掲示板の取り付け場所は常時太陽光が当たる場所で尚、外部の支援者が容易に目に付く場所を選定する、また、屋内操作盤の取り付け場所は住人が非常事態時に手の届く場所に取り付ける。
【００２６】以上の様に、本実施形態により不幸な孤独死等を未然に防止する効果が得られるものである。
【図面の簡単な説明】
【００２７】
【図１】  本発明の実施形態を示す屋外掲示板の正面図
【図２】  同上の側面図
【図３】  同屋内操作盤の正面図
【図４】  同上の側面図
【図５】  同屋内外の取り付け状態の概念図
【符号の説明】
【００２８】  １  太陽光パネル
２  屋外ボックス
３  赤色ランプ
４  緑色ランプ
５  支援要請表示部
６  異常なし表示部
７  確認ボタン
８  屋内操作盤ボックス
９  確認ランプ
１０  赤色ランプ（屋内用）
１１  緑色ランプ（屋内用）
１２  支援要請用押しボタン
１３  異常なし用押しボタン
１４  配線ケーブル
【図１】
2013196676.tif 000003
【図２】
2013196676.tif 000004
【図３】
2013196676.tif 000005
【図４】
2013196676.tif 000006
【図５】
2013196676.tif 000007
(57)【要約】      （修正有）【課題】小型のメモリカードは、人間が直接取り扱うには小さすぎて紛失や誤飲の危険性があり、これを克服する方法を提供する。【解決手段】人間が扱うのに適した面積を有するカードの凹部に小型メモリカードを貼り付ける。そして、そのままの状態で使用できるように、収録データの読み書きを行うための専用スロットを用意する。【選択図】図２
2013089217.tif 000002
【特許請求の範囲】
【請求項１】
人が扱うのに適した面積を有するプラスチック等のカードで特定の位置にＭｉｃｒｏＳＤ等の小型メモリカードを埋め込むための小さな凹部を持つもの。
【請求項２】
ＭｉｃｒｏＳＤ等の小型メモリカードに相当する実装回路基盤が最初から埋め込まれた状態で生産されたカードで、ＭｉｃｒｏＳＤ等の小型メモリカードを既に埋め込んだ状態の請求項１のカードと同様の外見を持つメモリカード。
【発明の詳細な説明】
【技術分野】
【０００１】  本発明は、小型メモリカードの使用法および管理法に関する。
【背景技術】
【０００２】  小型のメモリカードは情報機器等に装着して使用することを前提に設計されており、機器の小型化等の必要から最小限の面積と厚みになっている。しかし、人間が直接取り扱うには小さすぎて管理することが難しい。
【発明の概要】
【発明が解決しようとする課題】
【０００３】  小型のメモリカードは、人間が直接取り扱うには小さすぎて紛失や誤飲の危険性があり、これを克服する方法を提供することを課題とする。
【課題を解決するための手段】
【０００４】  上記課題を解決するために、人間が扱うのに適した面積を有する請求項１記載のカードの凹部に小型メモリカードを貼り付ける。そして、そのままの状態で使用できるように、収録データの読み書きを行うための専用スロットを用意する。
【発明の効果】
【０００５】  本発明は次のような効果を奏する。
請求項１に記載されているカードによって面積を拡張された小型メモリカードは、紛失や誤飲を防止できる他、そのサイズをクレジットカードや免許証などと同じ規格サイズにすることで、日常生活の中での管理が容易になった。このため、小型メモリカードがデジタルコンテンツを収録して販売するような用途にも活用できるようになった。
【図面の簡単な説明】
【０００６】
【図１】  本発明の正面図および側面図である。
【図２】  本発明の斜視図である。
【発明を実施するための形態】
【０００７】  人間が扱うのに都合の良い大きさを有するプラスチック等のカードにＭｉｃｒｏＳＤ等の小型メモリカードと同じ形の凹部を定められた特定の位置に配置する。そして、専用スロットを用意する。専用スロットでは、装着された本発明のカードが抜け落ちたり、データアクセス中に引き抜かれることを防止するための爪等を持ち、本発明のカードにはその爪が引っかかる穴や、安全に専用スロットへ抜き差しするための誘導溝がある。小型メモリカードを貼り付けるための凹部をカード面の片側半分に寄せることで、カードの両面が利用できるようになるため１枚のカードに２枚の小型メモリカードを埋め込むことが出来る。
【符号の説明】
【０００８】１  ＭｉｃｒｏＳＤ等の小型メモリカードを埋め込むための凹部
２  専用スロットに垂直に挿入するための誘導溝
３  抜き取り防止の爪がかかる穴
【図１】
2013089217.tif 000003
【図２】
2013089217.tif 000004
(57)【要約】【課題】予め定められた要目の部品を組み合わせることによって樹脂製品の外殻或いは製品そのものを構成することで、新製品の開発及び製造に必要な型の新規製造という段階を省略し、新製品の開発を容易にするとともに、開発及び製造に必要な費用を低減し、販売価格の下落を図る。【解決手段】まず平板状や棒状といった、多種多様な樹脂製品及び部品の一部として流用可能な部品を成型するための型を製造しておく。そして新製品を開発するに当たっては、既存の共通部品を組み合わせることで要求仕様を満たす製品を設計し、それに従って部品を成型して組み立て、製品を製造する。【選択図】なし【特許請求の範囲】
【請求項１】
多種多様な製品への流用が可能な形状の部品を組み合わせることによって樹脂製品を製造するという製造方法。
【請求項２】
請求項１の製造方法によって製造された製品。
【発明の詳細な説明】
【技術分野】
【０００１】本発明は、樹脂製品の製造に関する。
【発明の概要】
【発明が解決しようとする課題】  従来のプラスチック製製品は、製品ごとに樹脂を成型するための型を設計及び製造しなければならない。このため、新製品の開発や製造には費用や時間がかかり、加えて販売価格の高騰も招いていた。本発明は、このような従来のプラスチック製品製造法が有していた問題を解決しようとするものであり、プラスチック製新製品の開発に要する時間及び費用を低減し、より安価かつ早期な新製品の製造を実現するものである。
【課題を解決するための手段】  そして、本発明は上記の問題を解決するため、まず多種多様な製品の一部として使用できる板状や棒状等といった形状の部品を成型するための型を製造する。次いで要求される製品の内容に応じて適宜部品を製造し、最終的にこれらの部品をブロック玩具のように組み合わせることで製品を製造するものである。
【発明の効果】  上述したように本発明のプラスチック製品製造法は、製品ごとに型の新規開発及び製造しなければならないという段階を省くことで、新製品の開発に要する費用及び時間を削減することができる。また部品の共通化により、要求される製品の仕様が現在製造している製品と異なったものであるとしても、一部または全部の部品及びその組み合わせ方を変更することによって要求に応えることが可能となる。また、製品を一点または少数のみ受注生産する際にも、同様の効果が得られる。
【発明を実施するための形態】
【０００２】  まず、板状や棒状といった形状で、各種製品の部品として転用可能な製品の一部分を構成する部品を成型する。次いで製品の設計図や顧客の要望に応じてそれらの部品を組み立て、製品を製造する。
【実施例】
【０００３】  実施例としては、小型船舶の製造が挙げられる。樹脂製の小型船舶は現在でも多種多様な形式のものが建造、販売されているが、それらの製品は何れも同型船ごとに船体などの部品を成型するための型を新規に製造しなければならず、結果として開発や製造にかかる費用、ひいては販売価格の高騰につながっている。しかし本発明の製造方法を用いて小型船舶を製造すれば、部品の組み合わせを変更するだけで船体寸法や形状を容易に変更することができ、新型船の開発にかかる費用及び販売価格の下落が期待できる。
【産業上の利用可能性】
【０００４】    最初に設計する部品の形状や寸法、及びその組み立て方を工夫することによって、同一の部品を基に小物入れのような小型の製品から、樹脂製船舶のような大型の製品まで製造することも可能である。
(57)【要約】【課題】カード、シール、メンコ、メダル、フィギュア等のトレード物の交換は、交換した物がなくなるという欠点があった。【解決手段】トレード物に番号をつけ、インターネット上で所有者を登録する。所有者はトレード物の情報を、携帯情報端末で同じ場所にいる他者１人につき、トレード物１個毎に１回贈与できるようにした。【選択図】図２
2013089214.tif 000002
【特許請求の範囲】
【請求項１】
カード、シール、メンコ、メダル、フィギュア等、ある程度の文字列の数字・模様が刻印でき、交換（トレーディング）の対象となる物品（トレード物）に番号をつけ、トレード物の番号と、贈与されたトレード物情報の番号をインターネット上で所有者に登録し、管理するシステム。
【請求項２】
請求項１のシステムで登録したトレード物の情報を、携帯情報端末の位置情報で同じ場所にいる人、１人につきトレード物１個毎に１回だけ贈与するシステム。
【発明の詳細な説明】
【技術分野】
【０００１】  この発明は、カード、シール、メンコ、メダル、フィギュア等、ある程度の文字列の数字・文字・模様が刻印でき、交換（トレーディング）の対象となる物品（トレード物）に関する。
【背景技術】
【０００２】  従来のトレーディングは、所持するトレード物を実際に交換する形で行われる。
【発明の概要】
【発明が解決しようとする課題】
【０００３】  しかしながら、従来のトレーディングではトレード物を失ってしまう。この事がトレーディングをしにくくさせていた。さらに、トレーディングによって培われる顧客によるコミュニティの発展を阻害していた。そこでこの発明は、トレーディングをしてもトレード物が減らないシステムを提供する事を課題とする。
【課題を解決するための手段】
【０００４】  以上の課題を解決するために、第一発明は顧客を会員登録し、所有するトレード物のトレード物番号と贈与されたトレード物情報のトレード物情報番号を登録するシステムである。【０００５】  第ニ発明は、第一発明と連動し、ＧＰＳ機能を持つ携帯情報端末で顧客の位置情報を把握、同じ場所にいる他の顧客に登録してあるトレード物情報を贈与するシステムである。この情報の贈与は、１人につきトレード物１個毎に１回だけ行う事ができる。
【発明の効果】
【０００６】  第一発明、または第ニ発明によれば、トレード物を失う事なく情報のみを贈与できる。
【発明を実施するための形態】
【０００７】（１）トレード物番号登録システムの概要（図１）
顧客携帯情報端末から情報サーバーにアクセスし、購入したトレード物のトレード物番号を登録する。情報サーバーは、顧客Ａのデータに、トレード物番号を登録し、記録する。
【０００８】（２）トレード物情報贈与システムの概要（図２）
顧客Ａは、顧客Ａの顧客携帯情報端末のＧＰＳ機能により、顧客Ａと顧客Ｂが同じ場所にいるかどうかチェックする
【０００９】  顧客Ａは、顧客Ａの顧客携帯情報端末から情報サーバーにアクセスし、トレード物情報を贈与したい相手を選ぶ（この場合は顧客Ｂ）。
【００１０】  顧客Ａは情報サーバーの顧客Ａの情報に登録されているトレード物番号の中から、贈与したいものを選ぶ。
【００１１】  顧客Ａは顧客Ａの顧客携帯情報端末から情報サーバーに、トレード物情報贈与申請を送る。
【００１２】  情報サーバーは顧客Ｂのデータにトレード物番号を登録し、記憶する。
【００１３】  情報サーバーは顧客Ａの顧客携帯情報端末に贈与完了通知を送る。
【００１４】  情報サーバーは顧客Ｂの顧客携帯情報端末にトレード物情報贈与の通知を送る。
【００１５】（３）トレード物番号登録（図３）
本システムにユーザー登録を済ませた顧客Ａが、トレード物番号を情報サーバーに登録する場合の処理を説明する。
【００１６】  顧客Ａは携帯情報端末から情報サーバーにアクセスし、トレード物番号を入力する。
【００１７】  情報サーバーは、トレード物番号が正式なものか判断する。
【００１８】  正式なものでなかった場合、番号が間違っています画面が表示され、再度トレード物番号入力に戻る。
【００１９】  正式なものであった場合、それが未登録のトレード物番号かどうか判断する。
【００２０】  未登録でなかった場合、すでに登録済の番号です画面が表示され、再度トレード物番号入力に戻る。
【００２１】  未登録の番号であった場合、トレード物番号を顧客Ａに記録する。
【００２２】  登録が終了したら、登録完了画面を表示する。
【００２３】（５）トレード物情報贈与（図４）
トレード物番号登録を済ませた顧客Ａが、トレード物情報番号を顧客Ｂに贈与する場合の処理を説明する。
【００２４】  顧客Ａは顧客Ｂと実際に会い、携帯情報端末の位置情報で同じ位置にいなければならない。
【００２５】  顧客Ａは、顧客Ａの顧客携帯情報端末から情報サーバーにアクセスし、贈与を開始する。
【００２６】  情報サーバーは携帯情報端末のＧＰＳ機能から顧客Ａの近くに登録された顧客がいるかどうか判断する。
【００２７】  顧客がいない場合、贈与できる人がいません画面を表示して贈与開始画面に戻る。
【００２８】  顧客がいる場合は、贈与できる相手を表示する。顧客Ａはその中から贈与したい顧客Ｂを選択する。
【００２９】  顧客Ａは贈与したいトレード物を選ぶ。
【００３０】  情報サーバーは顧客Ｂにそのトレード物情報番号が登録されていないか判断する。
【００３１】  登録されている場合、すでに贈与済のトレード物です画面を表示して贈与開始画面に戻る。
【００３２】  登録されていない場合、顧客Ａの携帯情報端末に贈与完了通知が送付される。
【００３３】  顧客Ｂの携帯情報端末にトレード物情報贈与の通知が送付される。
【００３４】  顧客Ｂにそのトレード物情報番号が登録される。
【００３５】  このようにしてトレード物情報贈与が行われる。
【他の実施形態】
（図５）
【００３６】  情報サーバー上ではトレード物番号とトレード物情報番号を区別せず、ゲーム等の外部で利用する時のみ、両者の情報を区別する。
【図面の簡単な説明】
【００３７】
【図１】発明１、トレード物番号登録システムの構成図である。
【図２】発明２、トレード物情報贈与システムの構成図である。
【図３】図１におけるトレード物番号登録手段を示すフローチャートである。
【図４】図２におけるトレード物情報贈与手段を示すフローチャートである。
【図５】他の実施形態におけるトレード物情報番号の管理方法を示す図である。
【図１】
2013089214.tif 000003
【図２】
2013089214.tif 000004
【図３】
2013089214.tif 000005
【図４】
2013089214.tif 000006
【図５】
2013089214.tif 000007
(57)【要約】      （修正有）【課題】発音を忠実に再現するための英語の仮名発音表記法を提供する。【解決手段】（イ）各国際音声記号に対し、平仮名または片仮名１文字を割り当てた英語の仮名発音表記法。（ロ）各国際音声記号に対し、発音時の唇の開口度と開口幅および調音位置を、ＲＧＢ表色系の赤色・緑色・青色の混色量に比例させた色を割り当てた英語の仮名発音表記法。（ハ）子音に対し、発音方法の違いに基づいて、異なる書体を割り当てた英語の仮名発音表記法。【選択図】なし【特許請求の範囲】
【請求項１】
各国際音声記号に対し、書体が異なる平仮名または片仮名１文字を割り当てた英語の仮名発音表記法。
2013089221.tif 000002
「おー」）。
2013089221.tif 000003
斜体・片仮名「ア」。「ｉ」片仮名「イ」。「ｕ」片仮名「ウ」。「ｅ」平仮名「え」。「ｏ」片仮名「オ」）。
【請求項２】
各国際音声記号に対し、発音時の唇の開口度と開口幅および調音位置を、ＲＧＢ表色系の赤色・緑色・青色の混色量に比例させた色とする英語の仮名発音表記法。
2013089221.tif 000004
橙色系）。
2013089221.tif 000005
系「ウ」。「ｅ」紫色系。「ｏ」橙色系）。
（ハ）子音（必要に応じて着色する）。
【請求項３】
発音方法が異なる子音に対し、異なる書体を割り当てる英語の仮名発音表記法。
2013089221.tif 000006
行。「ｔｓ」「ツ」。「ｄｚ」「ヅ」。「ｌ」「ラ」行。「ｎ」「ナ」行。「ｋ」「カ」行。
2013089221.tif 000007
（ロ）浮舌子音は細字・半角（「ｐ」「パ」行。「ｂ」「バ」行。「ｍ」「マ」行。「ｆ」斜体「フ」。「ｖ」斜体「ヴ」。「ｒ」斜体「ラ」行。「ｓ」「サ」行。「ｚ」「ザ」行。「∫」
2013089221.tif 000008
【発明の詳細な説明】
【技術分野】
【０００１】  本発明は、英語の発音を忠実に再現するための、仮名発音表記法に関するものである。
【背景技術】
【０００２】  従来、アルファベットを着色したイメージ音読方法が知られている。
【先行技術文献】
【０００３】
【特許文献１】特開２０００−１１２３２６
【発明の概要】
【発明が解決しようとする課題】
【０００４】  そのために、次のような問題点があった。
（ア）母音と子音の区別が意識できない。
（イ）発音時の唇や舌の形を推測できない。
（ハ）日本語にない子音の発音を系統的に区別できない。
本発明は、これらの問題点を解決するためになされたものである。
【課題を解決するための手段】
【０００５】（ア）国際音声記号のそれぞれに、異なる書体の仮名１文字を割り当てる。
（ロ）国際音声記号のそれぞれに、発音方法の違いに対応する色を割り当てる。
（ハ）発音方法に基づいて子音を分類し、異なる書体を割り当てる。
以上を特徴とする英語の仮名発音表記法である。
【発明の効果】
【０００６】  発音を表す仮名を読むだけで、強勢の位置ばかりでなく、発音方法も意識できるようになる。
【図面の簡単な説明】
【０００７】
【発明を実施するための形態】
【０００８】  以下、本発明の実施の形態について説明する。
（イ）各国際音声記号に対し、強勢を置く母音には全角の平仮名または片仮名１文字を割り当て、子音には半角の片仮名１文字を割り当てる。
（ロ）各国際音声記号に対する色は、発音時の唇の開口度と開口幅および調音位置を、ＲＧＢ表色系の赤色・緑色・青色の混色量に比例させる。
（ハ）舌がどこかに接触する舌付子音は太字の半角片仮名、舌が接触しない浮舌子音は細字の半角片仮名とする。
【符号の説明】
【０００９】
(57)【要約】【課題】  光演出効果の変更を、容易に実現する装置及び方法。【解決手段】  複数の種類の異なる反射材を束ねる事で、光演出効果の変更を容易にした装置及び方法を提供する。【選択図】図１
2013089588.tif 000002
【特許請求の範囲】
【請求項１】
複数の種類の異なる反射材を束ねる事で、光演出効果の変更を容易にした装置。
【請求項２】
請求項１を照明器具の一部として利用する方法。
【請求項３】
請求項１を自然光の採光に利用する方法。
【発明の詳細な説明】
【技術分野】
【０００１】  この発明は、光演出効果の変更を、容易に実現する装置及び方法を提供する。
【背景技術】
【０００２】  従来の光演出では、光源前方に透過フィルターやレンズを配置した、特定波長の遮蔽や屈折による方法が一般に用いられている。照明器具の場合、その透過フィルターなどの形状は、器具に準じて決定される事が多く、変更には形状の統一を図っておく必要がある。異なる照明器具に対しては新たに用意することも多く、経済的ではない。【０００３】  透過フィルターは光源に近いことが多く、変更には光源や照明器具への接触による感電や火傷などの危険性も考えられる。【０００４】  また、照射方向の調整に鏡を使った反射を利用することがあるが、その鏡を積極的に置き換え演出効果の変更を行うわけではない。【０００５】  建築では採光のために、太陽光を鏡などで反射させる技術があるが、それら反射材の変更を積極的に行うわけではない。
（例えば、特許文献１参照。）【０００６】  映像撮影におけるレフ板のように、光源を補助するために反射材を用い、それらの中には反射光の色温度を変更できるものもあるが、単体で大掛かりである。
（例えば、非特許文献１参照。）
【先行技術文献】
【特許文献】
【０００７】
【特許文献１】  特開平１１−１１１０２６号公報
【非特許文献】
【０００８】
【非特許文献１】  株式会社エツミ「マルチリフレクター」
【発明の概要】
【発明が解決しようとする課題】
【０００９】  上述のように、光演出効果を変更するために用いられる方法の多くは、照明器具への接触時の感電や火傷などの危険性や、大掛かりになることもあり、また複雑な機構や専門的知識や技術が必要であることが多い。【００１０】  本発明はこれらを鑑みて成されたものであり、光演出効果の変更を容易にする装置及び方法を提供する。
【課題を解決するための手段】
【００１１】  複数の種類の異なる反射材を束ねる事で、光演出効果の変更を容易にした装置及び方法を提供する。
【発明の効果】
【００１２】  本発明によれば、専門的知識や技術をもたなくても、誰でも簡単に光演出効果の変更を行うことができる。
【発明を実施するための最良の形態】
【実施例１】
【００１３】  図１のように、光源６に対して、複数の種類の異なる反射材が束ねられた演出装置１を配置する。各々の位置、方向、角度を調整し、演出装置１からの反射光３を、照射対象である壁面４などに反映させる。演出装置１の頁をめくることで、次頁の種類の異なる反射材の演出効果に変更することができる。【００１４】  演出装置１の反射材には、紙や樹脂、金属などの素材に鏡面、めっき、屈折などの加工をされたシート状または板状のものがあげられる。例えば、色付き銀紙やホログラムシート、金属板などである。【００１５】  複数の反射材を束ねる方法の一例として、図１の演出装置１のようにシート状の反射材を製本する方法の他、板状の反射材に穴をあけリングで綴じるなどがあげられる。【００１６】  照射対象は、図１のように壁面４とする他、天井、装飾、水蒸気や煙などの粒子があげられるが、一般に照明の演出効果が及ぶものを照射対象とできる。【００１７】  光源６は発光ダイオードや白熱灯、放電管ランプなどの従来の光源の他、将来において発明される光源に対しても同様な効果を期待する事ができると言える。【００１８】  図１における光源６の形状や設置方法は一例であり、光源６は単独で設置されていても良い。【００１９】  図１及び図２における傾斜台５の設置方法は一例であり、傾斜台５を壁面に掛けるなどの設置方法や、演出装置１を傾斜面に直接配置するなど、周囲環境や照射対象によっては不要の場合もある。
【実施例２】
【００２０】  図２は、太陽などの自然光や、スポットライトやダウンライトなどの遠方の照明器具を光源にした場合の一例である。【００２１】  入射光２は図２に示した方向からだけではなく、演出装置１に対してあらゆる方向からの照射が有効である。【００２２】  上述の手段によれば、複雑な機構を持たず、誰でも簡単に光の演出効果を変更できるところが特徴である。
【図面の簡単な説明】
【００２３】
【図１】  本発明を説明するための一例である。
【図２】  本発明を説明するための一例である。
【符号の説明】
【００２４】１・・・演出装置（製本された反射材）
２・・・演出装置への入射光
３・・・演出装置からの反射光
４・・・壁面
５・・・傾斜台
６・・・照明器具などの光源
【図１】
2013089588.tif 000003
【図２】
2013089588.tif 000004
(57)【要約】【課題】原子力の放射能漏れ事故をきっかけに、国産エネルギーである再生エネルギーの太陽光発電の全量買い取り制度に、向けて一勢に、発進しようとしている中、中国製の画一的な安い太陽光パネルに対向する為、新たに、設置可能な場所の開拓とそれに対応する、より多様な太陽光発電パネルの開発と、更には、より、低コストで高効率発電を担保する太陽光発電機の開発である。【解決の手段】この課題を解決する為に、現状の太陽光発電パネルに搭載されている、平面な２次元のセル受光面とは異なり曲面にも対応する、１８０度の全方位の、太陽光を、とらえる全く新しい３次元の半球状のドーム型セル受光面を搭載した〔請求項１〕の太陽光パネルで、より低コスト・高効率発電を実現すると共に、曲面のビニールハウス農業・水耕栽培農業の屋根や壁にも、設置できる為、太陽光発電機の設置可能な場所の拡大化も図れる。更に又食糧エネルギーの増産と再生エネルギーである太陽光発電の普及をも、一挙に図れる太陽光発電機2013229540.tif 000008
【特許請求の範囲】
【請求項１】
この「特許」は現状の太陽光発電機パネルの“平面なセル・受光面”を改良することに依り、低コスト、高効率発電パネルを
2013229540.tif 000002
現状の二次元の“平面なセル受光面”を、三次元の“半球状のセル・受光面”に、する為に、太陽光発電パネルを、平面な土地や屋根や壁に、設置する場合には、ガラスと同じ透明度を、持ち、数十倍の強度を持つ
2013229540.tif 000003
入れ。もしくは、三次元の曲面の屋根や壁に、設置する場合には
2013229540.tif 000004
この高効率発電と低コストとを兼ね備えた
2013229540.tif 000005
【請求項２】
上記も含めて、従来の太陽光発電機のパネルを、設置した場合、その“パネルの影になる部分の場所”が
2013229540.tif 000006
相剋の問題が、つきつけられる事となる。
この問題を解決する為には
太陽光パネルの影になる、光の当らない広大な不毛の地に適した農業である、日影と湿気を好む、ホダ木などによる、シイタケ栽培やその他、菌床栽培農業を、太陽光発電パネルの影になる不毛の地に併設すれば、上記、相反する問題を一挙、解決しうる。
2013229540.tif 000007
【発明の詳細な説明】
【技術の分野】
Ｈ．２４年７月から再生エネルギーの太陽光発電に於いて全量買い取り制度が始まるのに当り、元々、日当りが良くて、平垣地である耕作放棄地にメガソーラー発電が行なわれ様としているが、世界人口が７０億人に達した今、食糧エネルギーの増産と再生エネルギーの普及との相剋が始まっている。
【背景技術】
【発明が解決しようとする課題と手段】
上記、食糧エネルギの増産と再生エネルギーの普及とを、同時に、可能とする為に基本的には、現在行われているビニールハウス農業や水耕栽培農業の屋根や壁に低コストとより高効率発電とを担保された〔請求項１〕の太陽光パネルを、設置すれば設置可能な場所の多様化・拡大化が図れる上に農業の食糧エネルギーの増産と再生エネルギーの普及とを一挙に、図ろうとするものである
【発明の効果】
太陽光発電に対する補助金が、減額され、次々と、ドイツのメーカーが、倒産の憂き目に会っている現状は、中国などの画一的な低価格の太陽光パネルによるものであり、同じ事は、今後、日本でも起りうる事である。この為、現状の平面なセル受光面と全く違う、１８０度の全方位の太陽光を、とらえる、新しい半球状のドーム型、セル受光面を搭載した太陽光パネルで、低コストで高効率発電を、図り曲面の屋根と壁面を持つ、ビニールハウス産業にも、設置できる為、設置可能な場所の、多様化も拡大化も、図れる。更に又、食糧エネルギーの増産と再生エネルギーの普及をも、図れるトリプルの発明効果を発揮する製造方法特許である
【図面の簡単な説明】太陽光発電パネルの半球状のドーム型、セル受光面の図。
2013229540.tif 000009